(57)【要約】【課題】本発明は、ルーズリーフバインダーを用いて左ページのリング寄りに文字を書く際にリングが右手に当たり書きづらいという問題を解決すると共に、複数の穴を持つルーズリーフの取り付け取り外しを一回の操作で容易にできるようにすることが目的である。【解決手段】リングの一部分を開口し、その一方の先端部分を直軸の形状にした。また、ベースプレートに複数個の穴を開け、それらの穴に前記リングの直軸の部分をそれぞれ差し込み、それらのリングを起立状態から傾倒状態に倒すことができるようにした。一方、プラスチックの板に二つずつ並列して複数個の穴をあけ、二つの穴に一つのリングを通すようにしてベースプレートに取り付けた複数個のリングを通し、それらのリングを周方向に沿って回転させたとき板と複数個のリングとの間に隙間ができ、複数の穴を持つルーズリーフの取り付け取り外しを一回の操作で容易にできるようにした。【選択図】図４
2006327057.tif 000002
【特許請求の範囲】
【請求項１】
ルーズリーフバインダーのリングにおいて、一部分を開口し、その一方の先端部分を直軸の形状にしたことを特徴とするリング。
【請求項２】
それぞれが軸受けの役割を果たすように一定の間隔で同じ方向に複数個の穴を開け、それらの穴に複数個の請求項１記載のリングにおける直軸の部分をそれぞれ挿入し、回転可能に取り付け、それらのリングを少なくとも起立状態から傾倒状態に倒すことができるようにしたベースプレート。
【請求項３】
板に二つの穴を、これらの穴の中心の間隔が前記リングの直径と同じ長さになるように、かつ、請求項１記載のリングを形成する線材が通る大きさにあけ、これらの二つの穴に一つのリングを形成する線材が通るようにし、これらの穴と同様な二つの穴を一組としてこれらの穴と並列に一定の間隔で複数組あけ、これら複数組の穴に請求項２記載のベースプレートに取り付けた複数個の請求項１記載のリングを一組の二つの穴に一つ通す要領でそれぞれ通し、これらのリングを起立状態から傾倒状態に倒すことにより、ルーズリーフバインダーを用いて左ページのリング寄りに文字を書く際にリングが右手に当たり書きづらくなるのを防止し、かつ、これらのリングを周方向に回転させたとき、リングの一部を開口しているため、その回転位置により前記板とこれらのリングとの間に隙間ができ、この隙間を利用して複数の穴を持つルーズリーフの取り付け取り外しを一回の操作で容易にできるようにしたルーズリーフバインダー。
【発明の詳細な説明】
【技術分野】
【０００１】
本発明はルーズリーフバインダーに関する。
【背景技術】
【０００２】
従来、ルーズリーフバインダーを用いて左ページのリング寄りに文字を書く際にリングに右手が当たり書きづらいという問題を解決するために、「ベースプレートに一体的に接合されたカバープレートと、このカバープレートの両側辺端部に形成された複数個の係合切欠部を介してそれぞれ取り外し可能に係合し、かつ、少なくとも起立状態から傾倒状態に倒れる複数個の係合リングから成るリング式バインダー」（特許文献１参照）がある。また、リングを形状記憶合金にして手の当たるリング部分を押しつぶし、リング寄りでも文字を書きやすくしたもの（特許文献2参照）もある。
【０００３】
【特許文献１】特開２００３−８０８７８号
【特許文献２】特開平１１−３３４２６８号
【発明の開示】
【発明が解決しようとする課題】
【０００４】
特許文献１における取り外し可能な複数個のリングから成るリング式バインダーは、ルーズリーフを取り付け取り外しする際に複数個のリングを一つずつ取り付け、また、取り外ししなければならず操作が面倒で時間がかかるという問題があった。また、特許文献２におけるリングを形状記憶合金にしたものは製作コストが高くなりルーズリーフバインダーに用いるには適さないという問題があった。
【０００５】
本発明は、ルーズリーフバインダーを用いて左ページのリング寄りに文字を書く際にリングが右手に当たり書きづらいという問題を解決すると共に、複数個の穴を持つルーズリーフの取り付け取り外しを一回の操作で容易にできるようにし、かつ、安価に製作できるようにすることが目的である。
【課題を解決するための手段】
【０００６】
本発明は上記目的を達成するために、まず、ルーズリーフバインダーのリングの一部分を開口し、その一方の先端部を直軸の形状にした。次に、ベースプレートに軸受けの役割を果たすように複数個の穴をあけ、この穴に複数個の前記リングにおける直軸の部分を挿入し回転可能に取り付けた。これにより複数個のリングを起立状態から傾倒状態に倒すことができるようにした。次に、ボール紙またはプラスチック製の板に二つの穴を、それらの穴の中心の間隔がリングの直径と同じ長さになるように、かつ、リングを形成する線材が通る大きさにあけた。同様にしてこれら二つの穴を一組としてこれらの穴に並列に複数組の穴をあけ、前記ベースプレートに取り付けた複数個のリングを一組の二つの穴に一つのリングを通す要領でそれぞれ通した。その方法は、板またはリングをプラスチックで製作し、どちらかを暖めて柔らかくして曲げられるようにし、これら二つの穴に一つのリングを形成する線材を通し、その後に元の形状に戻して冷ましリングが板から外れないようにした。これによりベースプレートに取り付けた複数個のリングをリングの周方向に沿って回転させたとき、リングの一部分を開口しているため回転位置により板とリングとの間に隙間ができ、この隙間を利用して複数の穴を持つルーズリーフを一回の操作で容易に取り付け取り外しすることができるようにした。また、不用意にルーズリーフが外れないように本体とベースプレートとを固定できるようにした。なお、リングはプラスチックで製作できるため製作コストが安価にできる。
【発明の効果】
【０００７】
ルーズリーフバインダーを用いて左ページのリング寄りに文字を書く際にリングが右手に当たり書きづらいという問題を、リングを起立状態から傾倒状態に倒すことができるようにして解決すると共に、複数の穴を持つルーズリーフの取り付け取り外しを一回の操作で容易にできるようにした。また、リングを安価に製作できるようにした。
【発明を実施するための最良の形態】
【０００８】
以下、本発明の実施の形態を実施例に基づき図１から図９を参照して説明する。図１は本発明におけるリング１の起立状態の正面図である。図で見るようにリングの一部分を開口し、その一方の先端部を直軸の形状にしてある。
【０００９】
図2はベースプレート２に軸受けの役割を果たすことができるように複数個の穴をあけ、これらの穴に複数個のリング１の直軸の部分を通して回転可能に取り付け、リング１を起立状態から傾倒状態に倒した平面図（ａ）、正面図（ｂ）、側面図（ｃ）である。ベースプレート２の両端部は同じ構造になっているため、平面図（ａ）および側面図（ｃ）は一端を省略して描いている。ベースプレート２の両端にストッパー３を接続し、その先端に爪４を設けてある。ストッパー3および爪４はベースプレート２と図3における板5とを固定するための手段である。ストッパー３は柔らかい塩化ビニール、布、皮などの材料で製作し、任意の位置で折り曲げられるようにする。また、爪４は比較的硬いプラスチック等の材料で製作し図３における本体５にあけられた小さな長穴７に差し込みベースプレート２と板５とを固定するためのものであるが、ホック、着脱自在のテープなどを利用することもできる。
【００１０】
図3はボール紙または硬いプラスチックで製作された板５の平面図である。中央部にリング１の直径と同じ長さの間隔で二つずつ並列して複数個の穴６をあけてある。また、図２におけるストッパー３の先端に設けた爪４を押し込むための小さな長方形の穴７が複数あけてあり、爪４を押し込む位置を変化させて取り付けるルーズリーフの厚さに応じてベースプレート２と板５とをしっかりと固定できるようにしている。
【００１１】
図4は板５にあけた複数個の穴６にベースプレート２に取り付けた複数個のリング１の線材を通し、これら複数個のリング１すべてを前方に倒した場合の平面図（ａ）と正面図（ｂ）である。正面図（ｂ）には一定の分量のルーズリーフを取り付けた状況を想像線で描いてある。このようにリング１を前方に倒すことにより左ページのリング寄りに文字を書く際にリングが右手に当たり書きづらいという問題を解決することができる。また、図５は図４に対する側面図である。ベースプレート２の両端に接続されたストッパー３によりベースプレート２と板５とを両側からしっかりと固定できるため、ベースプレート２に取り付けられた複数個のリング１が不用意に動くのを防止している。また、取り付けるルーズリーフの分量に応じてリング１を倒す度合いを調節しストッパー３と板５との固定位置を変化させることができる。したがって、ルーズリーフの分量にかかわらずリングが右手に当たり書きづらくなるのを防ぐことができる。
【００１２】
図6はリング１を起立状態にした場合の平面図（ａ）と正面図（ｂ）である。板５に二つずつ並列してあけた複数の穴６はそれらの二つの穴の間隔がリング１の直径の長さになっているため、リング１が板５と相対的に上下左右に動く範囲はこれら二つの穴の大きさとリングの線材の太さに依存している。したがって、二つの穴にリングの線材が容易に通るように、かつ、不用意にルーズリーフが開口部より外れることのないようにリングの線材の太さと穴の大きさとを決める必要がある。図７は図６に対する側面図である。図５と図７とを比較してみるとリング１を起立状態にした場合と傾倒状態にした場合との違いがよくわかる。
【００１３】
図8はリング１を起立状態にしてストッパー３を板５からはずし、ベースプレート２ごと複数個のリング１をその円周に沿って回転させた場合の平面図（ａ）および正面図（ｂ）である。リング１に開口部を設けてあるためリング１と板５との間に隙間８ができ、この隙間を利用してルーズリーフを差し込み、また、取り付け取り外しが一回の操作で容易にできるようにしている。なお、想像線でルーズリーフを示している。
【００１４】
図９は本ルーズリーフバインダーを閉じて持ち運びできるようにした状態の平面図（ａ）と正面図（ｂ）である。
【図面の簡単な説明】
【００１５】
【図１】リング１の正面図
【図２】リング１を取り付けたベースプレート２の平面図（ａ）、正面図（ｂ）、側面図（ｃ）
【図３】板５の平面図
【図４】本発明の実施例を示す平面図（ａ）、正面図（ｂ）
【図５】図４に対する側面図
【図６】リング１を起立状態にした場合の平面図（ａ）、正面図（ｂ）
【図７】図６に対する側面図
【図８】リング１の円周に沿って回転させた場合の平面図（ａ）、正面図（ｂ）
【図９】本ルーズリーフを閉じた状態の平面図（ａ）、正面図（ｂ）
【符号の説明】
【００１６】
１  リング
２  ベースプレート
３  ストッパー
４  爪
５  板
６  リングを通す穴
７  爪を押し込む穴
８  板とリングとの隙間
【図１】
2006327057.tif 000003
【図２】
2006327057.tif 000004
【図３】
2006327057.tif 000005
【図４】
2006327057.tif 000006
【図５】
2006327057.tif 000007
【図６】
2006327057.tif 000008
【図７】
2006327057.tif 000009
【図８】
2006327057.tif 000010
【図９】
2006327057.tif 000011